(57)【要約】  空気調和装置は、ドレン水を貯留するドレンパンと、ドレンパンの底面部に設けられた吸水シートと、前記吸水シートの側方に配置され、外殻が板金で形成されて内部に制御機器が収納された制御箱、前記吸水シートの上方に配置され、冷凍サイクル回路に充填された冷媒のうちの高圧箇所の冷媒が流れる高圧冷媒配管、及び、前記吸水シートの上方に配置され、冷媒の流量を調節する電磁弁を駆動する電磁弁コイルのうちの少なくとも１つである配置物と、を備え、前記配置物の熱で前記吸水シートに吸収されたドレン水を蒸発させるものである。
2017175348.tif 000002
【特許請求の範囲】
【請求項１】
ドレン水を貯留するドレンパンと、
ドレンパンの底面部に設けられた吸水シートと、
前記吸水シートの側方に配置され、外殻が板金で形成されて内部に制御機器が収納された制御箱、前記吸水シートの上方に配置され、冷凍サイクル回路に充填された冷媒のうちの高圧箇所の冷媒が流れる高圧冷媒配管、及び、前記吸水シートの上方に配置され、冷媒の流量を調節する電磁弁を駆動する電磁弁コイルのうちの少なくとも１つである配置物と、
を備え、
前記配置物の熱で前記吸水シートに吸収されたドレン水を蒸発させる空気調和装置。
【請求項２】
前記配置物として前記制御箱を備え、
前記底面部は、第１の底面部と、前記第１の底面部よりも高い位置に配置された第２の底面部とを備え、
前記吸水シートは、前記第１の底面部から前記第２の底面部にかけて設けられており、
前記制御箱は、前記第２の底面部の側方に設けられている請求項１に記載の空気調和装置。
【請求項３】
前記配置物として前記制御箱を備え、
前記制御箱に収納された前記制御機器はトランスである請求項１又は請求項２に記載の空気調和装置。
【請求項４】
前記配置物として銅製の前記高圧冷媒配管を備え、
該高圧冷媒配管に取り付けられ、前記吸水シートに接触する伝熱部材を備えた請求項１〜請求項３のいずれか一項に記載の空気調和装置。
【請求項５】
前記配置物として前記高圧冷媒配管を備え、
前記高圧冷媒配管が前記吸水シートに接触している請求項１〜請求項３のいずれか一項に記載の空気調和装置。
【請求項６】
前記配置物として前記電磁弁コイルを備え、
該電磁弁コイルに取り付けられ、前記吸水シートに接触する伝熱部材を備えた請求項１〜請求項５のいずれか一項に記載の空気調和装置。
【請求項７】
前記底面部は、第１の底面部と、前記第１の底面部よりも高い位置に配置された第２の底面部とを備え、
前記吸水シートは、前記第１の底面部から前記第２の底面部にかけて設けられており、
前記第２の底面部に設けられた前記吸水シートの上方に、ヒーターを備えた請求項１〜請求項６のいずれか一項に記載の空気調和装置。
【請求項８】
前記ヒーターは、板金で形成されて前記吸水シートに接する箱に収納されている請求項７に記載の空気調和装置。
【請求項９】
前記ドレンパンに貯留されたドレン水の量を検出するセンサーを備え、
前記ヒーターは、前記ドレンパンに規定量以上のドレン水が貯留されたことを前記センサーで検出した際、通電される構成である請求項７又は請求項８に記載の空気調和装置。
【発明の詳細な説明】
【技術分野】
【０００１】
本発明は、ドレン水を貯留するドレンパンを有する空気調和装置に関する。
【背景技術】
【０００２】
冷凍サイクル回路を用いて空調対象空間の空調を行う空気調和装置においては、冷凍サイクル回路のうちの低圧箇所の温度が、周囲の空気の温度より低くなる。このため、当該低圧箇所に結露し、ドレン水が発生する。このため、従来の空気調和装置は、例えば室内機等にドレン水を貯留するドレンパンを備えている。このドレンパンには排水口が設けられている。そして、ドレンパンに貯留されたドレン水を屋外へ排出するため、空気調和装置の設置時、該排水口にドレン配管を接続する配管工事が行われる。これにより、空気調和装置の運転時、ドレンパンにドレン水が貯留されていった際、ドレンパンの排水口及び該排水口に接続されたドレン配管によって、ドレンパン内のドレン水を屋外へ排出することができる。【０００３】
上述のドレン配管の配管工事は、空気調和装置の配置場所等によっては、大がかりな工事になってしまう場合がある。このため、従来、ドレン配管の配管工事を不要とするために、ドレン水の蒸発構造として、ドレンパンに貯留されたドレン水を蒸発させる蒸発装置が提案されている（例えば、特許文献１参照）。【０００４】
特許文献１に記載の蒸発装置は、専用の筐体を有している。また、該筐体の内部には、ドレン水を吸収する吸水シート、及び、該吸水シートに送風するファンを備えている。つまり、特許文献１に記載の蒸発装置は、空気調和装置のドレンパンに貯まったドレン水を蒸発装置の筐体内に取り込み、取り込んだドレン水を吸水シートで吸収し、ファンによって吸水シートに風を送ることにより、吸水シートに吸い込まれたドレン水を蒸発する構成となっている。
【先行技術文献】
【特許文献】
【０００５】
【特許文献１】特開２００２−２２２０３号公報
【発明の概要】
【発明が解決しようとする課題】
【０００６】
特許文献１に記載の蒸発装置は、ドレン水を蒸発させるために、専用のファンが必要となる。このため、特許文献１に記載の蒸発装置を空気調和装置に設けた場合、空気調和装置のコストが増大してしまうという課題があった。また、特許文献１に記載の蒸発装置を空気調和装置に設けた場合、ドレン水蒸発用の上記ファンの分だけ、消費電力も増大してしまうという課題もあった。また、特許文献１に記載の蒸発装置は、ファンによって吸水シートに風を送ることにより、吸水シートに吸い込まれたドレン水を蒸発する構成となっている。このため、特許文献１に記載の蒸発装置は、吸水シートの蒸発面に埃やゴミが付着し、清掃の手間が生じてしまう。したがって、特許文献１に記載の蒸発装置を空気調和装置に設けた場合、メンテナンス性が低下してしまうという課題があった。また、特許文献１に記載の蒸発装置は、専用の筐体を必要とするので、空気調和装置の設置スペースが増大してしまうという課題があった。【０００７】
本発明は、上述の課題を解決するためになされたものであり、ドレン水の蒸発構造を有する空気調和装置において、コスト、消費電力及び設置スペースの増大を抑制するとともに、メンテナンス性の低下を抑制できる空気調和装置を得ることを目的とする。
【課題を解決するための手段】
【０００８】
本発明に係る空気調和装置は、ドレン水を貯留するドレンパンと、ドレンパンの底面部に設けられた吸水シートと、前記吸水シートの側方に配置され、外殻が板金で形成されて内部に制御機器が収納された制御箱、前記吸水シートの上方に配置され、冷凍サイクル回路に充填された冷媒のうちの高圧箇所の冷媒が流れる高圧冷媒配管、及び、前記吸水シートの上方に配置され、冷媒の流量を調節する電磁弁を駆動する電磁弁コイルのうちの少なくとも１つである配置物と、を備え、前記配置物の熱で前記吸水シートに吸収されたドレン水を蒸発させるものである。
【発明の効果】
【０００９】
本発明に係る空気調和装置は、上記の配置物の熱を利用して、ドレン水の蒸発構造を構成している。上記の配置物はいずれも、従来から空気調和装置が備えている構成である。このため、本発明に係る空気調和装置は、ドレン水を蒸発させるための専用のファンを必要としない。したがって、本発明に係る空気調和装置は、空気調和装置のコストが増大することを抑制できる。また、本発明に係る空気調和装置は、ドレン水を蒸発させるための専用のファンを必要としないので、消費電力が増大することも抑制できる。また、本発明に係る空気調和装置は、上記の配置物の熱を利用してドレン水を蒸発させるので、吸水シートの蒸発面に埃やゴミが付着してしまことを抑制でき、メンテナンス性が低下してしまうということを抑制できる。また、本発明に係る空気調和装置は、ドレン水の蒸発構造として、特許文献１に記載の蒸発装置のような専用の筐体を必要としないので、空気調和装置の設置スペースが増大することも抑制できる。
【図面の簡単な説明】
【００１０】
【図１】本発明の実施の形態に係る空気調和装置の中継ユニットを示す斜視図である。
【図２】本発明の実施の形態に係る空気調和装置の中継ユニットの内部構造を示す斜視図である。
【図３】本発明の実施の形態に係る空気調和装置の中継ユニットの縦断面図である。
【図４】本発明の実施の形態に係る空気調和装置の中継ユニットのドレンパンを示す斜視図である。
【図５】本発明の実施の形態に係る空気調和装置の中継ユニットにおける制御箱の内部を示す斜視図である。
【図６】図３のＱ部拡大図である。
【図７】本発明の実施の形態に係る空気調和装置の中継ユニットにおける電磁弁コイル近傍を示す斜視図である。
【図８】本発明の実施の形態に係る空気調和装置における中継ユニットの別の一例の内部構造を示す斜視図である。
【発明を実施するための形態】
【００１１】
以下、本実施の形態では、冷凍サイクル回路を用いた空気調和装置を構成するユニットのうち、室外ユニットと室内ユニットとの間に設置される中継ユニットに本発明を実施した例について説明する。なお、このような中継ユニットは、例えば、ビル用マルチエアコン等に用いられるユニットである。
【００１２】
図１は、本発明の実施の形態に係る空気調和装置の中継ユニットを示す斜視図である。
中継ユニット１００は、例えば直方体の外殻１を有している。詳しくは、外殻１の天面部は、天パネル４で構成されている。外殻１の底面部は、ドレンパン２０で構成されている。外殻１の４つの側面部のうちの３つは、サイドパネル３で構成されている。そして、外殻１の４つの側面部のうちの１つは、メンテナンス口として開口している。このメンテナンス口は、メンテナンス用パネル２、及び、空気調和装置のアクチューターを制御する制御機器を収納する制御箱３０で覆われている。つまり、メンテナンス用パネル２及び制御箱３０のうちの一方を取り外すことにより、外殻１内部の構成をメンテナンスできる構成となっている。このように構成された外殻１は、例えばサイドパネル３に設けられた複数の金具５を介して、天井裏等に吊り下げ設置される。
【００１３】
また、中継ユニット１００の外殻１の例えばサイドパネル３には、室外ユニットに収納された冷凍サイクル回路の構成の一部と、室内ユニットに収納された冷凍サイクル回路の構成の一部とを接続するため、複数の冷媒配管が突出している。詳しくは、中継ユニット１００の外殻１には、室外ユニットと接続される低圧冷媒配管６及び高圧冷媒配管７が突出している。また、中継ユニット１００の外殻１には、室内ユニットと接続される複数の冷媒配管８が突出している。
【００１４】
低圧冷媒配管６は、冷凍サイクル回路に充填された冷媒のうちの低圧箇所の冷媒が流れる配管である。つまり、低圧冷媒配管６は、周囲の空気よりも低温の冷媒が流れる配管である。高圧冷媒配管７は、冷凍サイクル回路に充填された冷媒のうちの高圧箇所の冷媒が流れる配管である。つまり、高圧冷媒配管７は、周囲の空気よりも高温の冷媒が流れる配管である。冷媒配管８の一部は、後述する低圧冷媒配管６ａを介して、低圧冷媒配管６に接続されている。また、冷媒配管８の残りの一部は、後述する高圧冷媒配管７ａを介して、高圧冷媒配管７と接続されている。そして、低圧冷媒配管６に接続された１本の冷媒配管８と、高圧冷媒配管７に接続された１本の冷媒配管８とが１セットとなって、同一の室内ユニットに接続される。
【００１５】
図２は、本発明の実施の形態に係る空気調和装置の中継ユニットの内部構造を示す斜視図である。
図２に示すように、中継ユニット１００の外殻１内には、低圧冷媒配管６と冷媒配管８の一部とを接続する低圧冷媒配管６ａが設けられている。この低圧冷媒配管６ａは、低圧冷媒配管６と同様に、冷凍サイクル回路に充填された冷媒のうちの低圧箇所の冷媒が流れる配管である。つまり、低圧冷媒配管６ａは、周囲の空気よりも低温の冷媒が流れる配管である。また、中継ユニット１００の外殻１内には、高圧冷媒配管７と冷媒配管８の一部とを接続する高圧冷媒配管７ａが設けられている。この高圧冷媒配管７ａは、高圧冷媒配管７と同様に、冷凍サイクル回路に充填された冷媒のうちの高圧箇所の冷媒が流れる配管である。つまり、高圧冷媒配管７ａは、周囲の空気よりも高温の冷媒が流れる配管である。
【００１６】
また、中継ユニット１００の外殻１内には、室内ユニットを流れる冷媒の流量を調節する電磁弁９が設けられている。電磁弁９は、例えば、低圧冷媒配管６と冷媒配管８との間に接続される。また、中継ユニット１００の外殻１内には、電磁弁９を駆動する電磁弁コイル１０も設けられている。
【００１７】
上述のように、低圧冷媒配管６及び低圧冷媒配管６ａを通る冷媒は温度が低く、例えば０［℃］付近となる。一方、高圧冷媒配管７及び高圧冷媒配管７ａは、例えば５０［℃］付近の高温となる。中継ユニット１００は高温多湿な天井裏等に設置される場合がある。このため、低圧冷媒配管６及び低圧冷媒配管６ａの周囲空気は冷やされ、低圧冷媒配管６及び低圧冷媒配管６ａに結露してドレン水が発生し、該ドレン水は低圧冷媒配管６及び低圧冷媒配管６ａの下方へ滴下する。このドレン水は、ドレンパン２０に貯留されることとなる。
【００１８】
図３は、本発明の実施の形態に係る空気調和装置の中継ユニットの縦断面図である。また、図４は、この中継ユニットのドレンパンを示す斜視図である。なお、図３は、図１のＡ方向から中継ユニット１００を観察した際の縦断面図である。
【００１９】
図４に示すように、ドレンパン２０は、底面部２１及び周壁２２を備えている。底面部２１の上面には、吸水シート２５が設けられている。周壁２２は、複数の側壁で形成されており、額縁形状をしている。周壁２２は、底面部２１を囲むように配置されている。また、周壁２２の下端部と底面部２１とは、周壁２２から底面部２１へ向けて下降していく傾斜部２３によって、接続されている。本実施の形態では、底面部２１は、周壁２２の一部である側壁２２ａと接するように配置されている。このため、傾斜部２３は、周壁２２を構成する側壁のうちの側壁２２ａ以外の側壁と底面部２１との間に設けられている。
【００２０】
また、本実施の形態では、底面部２１は、第１の底面部２１ａと、第１の底面部２１ａよりも高い位置に配置された第２の底面部２１ｂとを備えている。第１の底面部２１ａと第２の底面部２１ｂとは、例えば傾斜面を有する接続部２１ｃで接続されている。そして、吸水シート２５は、第１の底面部２１ａから第２の底面部２１ｂにかけて設けられている。つまり、吸水シート２５は、第１の底面部２１ａ、第２の底面部２１ｂ及び接続部２１ｃの上面に設けられている。本実施の形態では、側壁２２ａの近くに、例えば側壁２２ａと接するように、第２の底面部２１ｂを配置している。
【００２１】
図３に示すように、外殻１内においてドレン水を発生させる低圧冷媒配管６ａ及び低圧冷媒配管６のうちの外殻１内に配置された部分は、ドレンパン２０の傾斜部２３の上方に配置されている。このため、低圧冷媒配管６ａ及び低圧冷媒配管６から滴下したドレン水は、図３及び図４に符号２００で示すように、ドレンパン２０の傾斜部２３を流れ落ち、ドレンパン２０の底面部２１に集められる。そして、ドレンパン２０の底面部２１に集められたドレン水は、吸水シート２５に吸収されて、蒸散作用により蒸発する。
【００２２】
なお、本実施の形態では、上述のように、底面部２１は、第１の底面部２１ａと、第１の底面部２１ａよりも高い位置に配置された第２の底面部２１ｂとを備えている。このため、ドレンパン２０の傾斜部２３を流れ落ちたドレン水は、一旦、第１の底面部２１ａに集められる。そして、第１の底面部２１ａに集められたドレン水は、吸水シート２５の毛細管現象により、第２の底面部２１ｂへ上昇する。第２の底面部２１ｂは、第１の底面部２１ａよりも高い位置に配置されている。このため、第１の底面部２１ａの上面に配置された吸水シート２５部分がドレン水内に水没した際でも、第２の底面部２１ｂの上面に配置された吸水シート２５部分は常に大気中に露出しており、当該部分から蒸散作用によってドレン水を蒸発させることができる。
【００２３】
ここで、ドレンパンにドレン配管を接続する配管工事を不要とするため、従来の空気調和装置は、ドレン水の蒸発構造として、ドレン水を蒸発させる専用のファンを備えた蒸発装置を備える必要があった（特許文献１参照）。一方、本実施の形態に係る空気調和装置の中継ユニット１００は、ドレンパン２０の周囲の配置物である制御箱３０、高圧冷媒配管７ａ及び電磁弁コイル１０の熱でドレン水を蒸発させる蒸発構造を採用している。以下、本実施の形態に係るドレン水の蒸発構造の詳細について説明する。
【００２４】
図５は、本発明の実施の形態に係る空気調和装置の中継ユニットにおける制御箱の内部を示す斜視図である。
制御箱３０は、例えば直方体の外殻３１を有している。この外殻３１は、板金で形成されている。そして、この外殻３１の内部には、トランス３２等の制御機器が収納されている。このため、制御箱３０は、制御機器の発熱に伴って、板金製の外殻３１も周囲空気より高温となる。特に、トランス３２は、高温になりやすく、４０［℃］付近まで温度が上昇する。このため、板金製の外殻３１も、４０［℃］付近まで上昇する。
【００２５】
図１及び図３に示すように、制御箱３０は、ドレンパン２０の側壁２２ａに取り付けられる。つまり、制御箱３０は、吸水シート２５の側方に設けられ、吸水シート２５の近くに配置されている。より詳しくは、制御箱３０は、第２の底面部２１ｂの側方に設けられ、第２の底面部２１ｂの上面に配置された吸水シート２５部分の近くに配置されている。このため、制御箱３０の外殻３１の熱により、第２の底面部２１ｂの上面に配置された吸水シート２５部分に吸収されたドレン水の蒸発を促進させることができる。
【００２６】
図６は、図３のＱ部拡大図である。
図３及び図６に示すように、高温冷媒が流れる高圧冷媒配管７ａの少なくとも一部を、吸水シート２５の上方に配置している。吸水シート２５の近傍に配置された高圧冷媒配管７ａを流れる高温冷媒の熱により、吸水シート２５に吸収されたドレン水の蒸発を促進させることができる。ここで、吸水シート２５に吸収されたドレン水に高圧冷媒配管７ａの熱を空気を介さずに伝えることにより、吸水シート２５に吸収されたドレン水の蒸発をより促進させることができる。この際、本実施の形態に係る高圧冷媒配管７ａは銅管であるため、高圧冷媒配管７ａを吸水シート２５つまりドレン水に接触させると、高圧冷媒配管７ａの腐食が懸念される。このため、本実施の形態では、高圧冷媒配管７ａに、吸水シート２５つまりドレン水に接触する伝熱部材４１を取り付けている。伝熱部材４１は、例えば配管形状をしており、銅で形成されている。伝熱部材４１は、内部に冷媒等が流れないので、腐食を考慮しなくてもよい。なお、銅よりも水に対する耐腐食性に優れた金属で伝熱部材４１を形成しても勿論よい。また、伝熱部材４１を板金で形成してもよい。この際、板金と吸水シート２５との接触面積（熱を伝達させる部分の面積）を増大させるため、板金の吸水シート２５側の端部を断面Ｌ字状に折り曲げてもよい。また、高圧冷媒配管７ａの材質が腐食を懸念しなくてもよい材質の場合には、高圧冷媒配管７ａを直接吸水シート２５つまりドレン水に接触させてもよい。
【００２７】
図７は、本発明の実施の形態に係る空気調和装置の中継ユニットにおける電磁弁コイル近傍を示す斜視図である。
図３及び図７に示すように、電磁弁コイル１０の少なくとも一部を、吸水シート２５の上方に配置している。本実施の形態に係る電磁弁コイル１０は、２００［Ｖ］の入力があった場合、４０［℃］付近まで温度が上昇する。吸水シート２５の近傍に配置された電磁弁コイル１０の熱により、吸水シート２５に吸収されたドレン水の蒸発を促進させることができる。ここで、吸水シート２５に吸収されたドレン水に電磁弁コイル１０の熱を空気を介さずに伝えることにより、吸水シート２５に吸収されたドレン水の蒸発をより促進させることができる。このため、本実施の形態では、電磁弁コイル１０に、吸水シート２５つまりドレン水に接触する伝熱部材４２を取り付けている。伝熱部材４２は、例えば鋼製の板金である。伝熱部材４２と吸水シート２５との接触面積（熱を伝達させる部分の面積）を増大させるため、伝熱部材４２の吸水シート２５側の端部を断面Ｌ字状に折り曲げている。なお、伝熱部材４２は、鋼製に限定されるものではない。
【００２８】
通常、空気調和装置の運転中に発生する制御箱３０、高圧冷媒配管７ａ及び電磁弁コイル１０の熱で、ドレンパン２０に貯留されたドレン水を蒸発させることができる。しかしながら、ドレン水が蒸発しづらい過酷な条件下に中継ユニット１００が設置される可能性にも考慮し、ドレン水の蒸発をさらに促進するために、図８に示すようにヒーター５０を設置してもよい。
【００２９】
図８は、本発明の実施の形態に係る空気調和装置における中継ユニットの別の一例の内部構造を示す斜視図である。
ヒーター５０は、例えば、シリコンで覆われた２５Ｗ程度のベルトヒーターである。例えば温度が３２［℃］で湿度が８０［％］の環境に中継ユニット１００が設置された場合、空気が既に飽和状態となっているため、ドレンパン２０内のドレン水の蒸発が進まない。しかしながら、ヒーター５０を設けることにより、ドレンパン２０に貯留されたドレン水を蒸発させることができる。
【００３０】
なお、ヒーター５０がドレン水に水没して漏電し、感電することを防止するため、ドレン水に浸からない位置にヒーター５０を設置している。より詳しくは、第２の底面部２１ｂの上面に配置された吸水シート２５部分の上方に、ヒーター５０を設置している。これにより、ヒーター５０の長年の品質を確保することができる。また、板金で形成され、例えば上部が開口した箱５１に、ヒーター５０は収納されている。この箱５１は、第２の底面部２１ｂの上面に配置された吸水シート２５部分に接している。つまり、ヒーター５０の熱は、伝熱部材となる箱５１を介して、吸水シート２５に吸収されたドレン水に伝わる構成となっている。これにより、ヒーター５０がドレン水に水没することを防止しつつ、ヒーター５０の熱を吸水シート２５に吸収されたドレン水により伝わりやすくすることができる。
【００３１】
また、必要以上にヒーター５０に通電することを抑制するため、ドレンパン２０に貯留されたドレン水の量を検出するセンサー５２を設けてもよい。そして、ドレンパン２０に規定量以上のドレン水が貯留されたことをセンサー５２で検出した際、ヒーター５０に通電する構成とするとよい。例えば、第１の底面部２１ａに配置された吸水シート２５部分が水没する量のドレン水が貯まった際、ヒーター５０に通電する構成にする。これにより、上述した空気調和装置の通常の運転中に発生する熱量がドレン水の凝縮熱量より小さい場合のみ、ヒーター５０に通電することとなり、ヒーター５０の消費電力を最小限にすることができる。また、ヒーター５０に通電すると、ヒーター５０の温度上昇により、中継ユニット１００の外殻１内の温度が上昇し、外殻１内の圧力が上がる。外殻１内が陽圧となることで、外殻１に外部からの湿った空気が流入することを抑制することもできる。
【００３２】
最後に、空気調和装置の運転中、本実施の形態に係る制御箱３０、高圧冷媒配管７ａ及び電磁弁コイル１０から得られる熱量の一例を紹介する。
【００３３】
制御箱３０の温度Ｔ１を４０［℃］、ドレン水の温度Ｔ２を０［℃］、制御箱３０からドレン水への熱伝達率ｈを４［Ｗ／（ｍ２Ｋ）］とする。この場合、制御箱３０から得られる単位面積当たりの熱量ｑ１は、ｑ１＝ｈ（Ｔ１−Ｔ２）＝４×（４０−０）＝１６０［Ｗ／ｍ２］となる。常に空気中に露出している第２の底面部２１ｂの上面に配置された吸水シート２５部分の面積Ａ１を１６５００×１０−６［ｍ２］とすると、制御箱３０から得られる熱量Ｑ１は、Ｑ１＝ｑ１×Ａ１＝２．６４［Ｗ］となる。
【００３４】
高圧冷媒が通る高圧冷媒配管７ａの最低温度を８［℃］、ドレン水の温度を０［℃］、高圧冷媒配管７ａ及び伝熱部材４１の熱伝導率λを４００［Ｗ／ｍＫ］、伝熱部材４１の外径を６．３５×１０−３［ｍ］とする。この場合、高圧冷媒配管７ａより得られる単位面積あたりの熱量ｑ２は、ｑ２＝λ×（ｄＴ／ｄｘ）＝４００×［（８−０）／（６．３５×１０−３）］＝５０３９３７［Ｗ／ｍ２］となる。伝熱部材４１と吸水シート２５とが接触している面積Ａ２を１９．７×１０−６［ｍ２］とすると、高圧冷媒配管７ａから得られる熱量Ｑ２は、Ｑ２＝ｑ２×Ａ２＝９．９２［Ｗ］となる。
【００３５】
電磁弁コイル１０の定常時の温度を４６［℃］、ドレン水の温度を０［℃］、伝熱部材４２の熱伝導率λを８３［Ｗ／ｍＫ］、電磁弁コイル１０と吸水シート２５との間の距離を１１５×１０−３［ｍ］とする。この場合、電磁弁コイル１０より得られる単位面積あたりの熱量ｑ３は、ｑ３＝λ（ｄＴ／ｄｘ）＝８３×［（４６−０）／（１１５×１０−３）］＝３３２００［Ｗ／ｍ２］となる。伝熱部材４２と吸水シート２５とが接触している面積Ａ３を８３×１０−６［ｍ２］とすると、電磁弁コイル１０から得られる熱量Ｑ３は、Ｑ３＝ｑ３×Ａ３＝２．７６［Ｗ］となる。
【００３６】
空気調和装置の通常運転中において、ドレンパン２０に貯留されたドレン水を蒸発させるために得られる総熱量ＱはＱ＝Ｑ１＋Ｑ２＋Ｑ３＝２．６４＋９．９２＋２．７６＝１５．３２［Ｗ］となる。これは、パソコン等の電子機器に搭載される１５［Ｗ］程度の軸流ファンと同等であり、軸流ファンの変わりに用いればコストやメンテナンスの削減等に繋げることができる。
【００３７】
以上、本実施の形態に係る中継ユニット１００は、ドレンパン２０の周囲に配置された制御箱３０、高圧冷媒配管７ａ及び電磁弁コイル１０の熱を利用して、ドレン水の蒸発構造を構成している。制御箱３０、高圧冷媒配管７ａ及び電磁弁コイル１０はいずれも、従来から中継ユニット１００が備えている構成である。このため、本実施の形態に係る中継ユニット１００を備えた空気調和装置は、特許文献１に記載されているようなドレン水を蒸発させるための専用のファンを必要としない。したがって、本実施の形態に係る中継ユニット１００を備えた空気調和装置は、空気調和装置のコストが増大することを抑制できる。
【００３８】
また、本実施の形態に係る中継ユニット１００を備えた空気調和装置は、ドレン水を蒸発させるための専用のファンを必要としないので、消費電力が増大することも抑制できる。また、本実施の形態に係る中継ユニット１００を備えた空気調和装置は、上記の配置物の熱を利用してドレン水を蒸発させるので、吸水シート２５の蒸発面に埃やゴミが付着してしまことを抑制でき、メンテナンス性が低下してしまうということを抑制できる。また、本実施の形態に係る中継ユニット１００を備えた空気調和装置は、ドレン水の蒸発構造として、特許文献１に記載の蒸発装置のような専用の筐体を必要としないので、空気調和装置の設置スペースが増大することも抑制できる。
【００３９】
また、上述した本実施の形態に係るドレン水の蒸発構造は、上述のように簡単な構造であるため、安価に制作できるという効果も得られる。
【００４０】
また、本実施の形態に係る中継ユニット１００においては、ドレン水が蒸発しづらい過酷な条件下においてもドレン水を蒸発させるためにヒーター５０を設けているが、当該ヒーター５０は、ドレンパン２０に規定量以上のドレン水が貯留されたときのみ通電される。このため、本実施の形態に係る中継ユニット１００を備えた空気調和装置は、ドレン水を蒸発させるための専用のファンを常時駆動させる従来の空気調和装置と比較して、ヒーター５０を設けたとしても、消費電力量を削減することができる。
【００４１】
なお、本実施の形態では、制御箱３０、高圧冷媒配管７ａ及び電磁弁コイル１０の全ての熱をドレン水の蒸発に利用した。しかしながら、ドレン水を蒸発させるのに十分な熱が得られるのであれば、制御箱３０、高圧冷媒配管７ａ及び電磁弁コイル１０のうちの少なくとも１つ熱を、ドレン水の蒸発に利用してもよい。
【００４２】
また、上述した本実施の形態に係るドレン水の蒸発構造を、室外ユニット又は室内ユニットに設けても勿論よい。
【符号の説明】
【００４３】
１  外殻、２  メンテナンス用パネル、３  サイドパネル、４  天パネル、５  金具、６  低圧冷媒配管、６ａ  低圧冷媒配管、７  高圧冷媒配管、７ａ  高圧冷媒配管、８  冷媒配管、９  電磁弁、１０  電磁弁コイル、２０  ドレンパン、２１  底面部、２１ａ  第１の底面部、２１ｂ  第２の底面部、２１ｃ  接続部、２２  周壁、２２ａ  側壁、２３  傾斜部、２５  吸水シート、３０  制御箱、３１  外殻、３２  トランス、４１  伝熱部材、４２  伝熱部材、５０  ヒーター、５１  箱、５２  センサー、１００  中継ユニット、２００  ドレン水。
【図１】
2017175348.tif 000003
【図２】
2017175348.tif 000004
【図３】
2017175348.tif 000005
【図４】
2017175348.tif 000006
【図５】
2017175348.tif 000007
【図６】
2017175348.tif 000008
【図７】
2017175348.tif 000009
【図８】
2017175348.tif 000010
【手続補正書】
【提出日】平成30年6月29日(2018.6.29)
【手続補正１】
【補正対象書類名】明細書
【補正対象項目名】０００８
【補正方法】変更
【補正の内容】
【０００８】
本発明に係る空気調和装置は、ドレン水を貯留するドレンパンと、ドレンパンの底面部に設けられた吸水シートと、前記吸水シートの側方に配置され、外殻が板金で形成されて内部に制御機器が収納された制御箱、及び、前記吸水シートの上方に配置され、冷媒の流量を調節する電磁弁を駆動する電磁弁コイルのうちの少なくとも１つである配置物と、を備え、前記配置物の熱で前記吸水シートに吸収されたドレン水を蒸発させるものである。
【手続補正２】
【補正対象書類名】特許請求の範囲
【補正対象項目名】全文
【補正方法】変更
【補正の内容】
【特許請求の範囲】
【請求項１】
ドレン水を貯留するドレンパンと、
ドレンパンの底面部に設けられた吸水シートと、
前記吸水シートの側方に配置され、外殻が板金で形成されて内部に制御機器が収納された制御箱、及び、前記吸水シートの上方に配置され、冷媒の流量を調節する電磁弁を駆動する電磁弁コイルのうちの少なくとも１つである配置物と、
を備え、
前記配置物の熱で前記吸水シートに吸収されたドレン水を蒸発させる空気調和装置。
【請求項２】
前記配置物として前記制御箱を備え、
前記底面部は、第１の底面部と、前記第１の底面部よりも高い位置に配置された第２の底面部とを備え、
前記吸水シートは、前記第１の底面部から前記第２の底面部にかけて設けられており、
前記制御箱は、前記第２の底面部の側方に設けられている請求項１に記載の空気調和装置。
【請求項３】
前記配置物として前記制御箱を備え、
前記制御箱に収納された前記制御機器はトランスである請求項１又は請求項２に記載の空気調和装置。
【請求項４】
前記配置物として前記電磁弁コイルを備え、
該電磁弁コイルに取り付けられ、前記吸水シートに接触する伝熱部材を備えた請求項１〜請求項３のいずれか一項に記載の空気調和装置。
【請求項５】
前記底面部は、第１の底面部と、前記第１の底面部よりも高い位置に配置された第２の底面部とを備え、
前記吸水シートは、前記第１の底面部から前記第２の底面部にかけて設けられており、
前記第２の底面部に設けられた前記吸水シートの上方に、ヒーターを備えた請求項１〜請求項４のいずれか一項に記載の空気調和装置。
【請求項６】
前記ヒーターは、板金で形成されて前記吸水シートに接する箱に収納されている請求項５に記載の空気調和装置。
【請求項７】
前記ドレンパンに貯留されたドレン水の量を検出するセンサーを備え、
前記ヒーターは、前記ドレンパンに規定量以上のドレン水が貯留されたことを前記センサーで検出した際、通電される構成である請求項５又は請求項６に記載の空気調和装置。
【請求項８】
ドレン水を貯留するドレンパンと、
ドレンパンの底面部に設けられた吸水シートと、
前記吸水シートの側方に配置され、外殻が板金で形成されて内部に制御機器が収納された制御箱、前記吸水シートの上方に配置され、冷凍サイクル回路に充填された冷媒のうちの高圧箇所の冷媒が流れる高圧冷媒配管、及び、前記吸水シートの上方に配置され、冷媒の流量を調節する電磁弁を駆動する電磁弁コイルのうちの少なくとも１つである配置物と、
を備え、
前記配置物としての前記高圧冷媒配管が前記吸水シートに接触し、
前記配置物の熱で前記吸水シートに吸収されたドレン水を蒸発させる空気調和装置。
【請求項９】
前記配置物として銅製の前記高圧冷媒配管を備え、
該高圧冷媒配管に取り付けられ、前記吸水シートに接触する伝熱部材を備えた請求項８に記載の空気調和装置。
【国際調査報告】
2017175348.tif 000011
2017175348.tif 000012
2017175348.tif 000013
2017175348.tif 000014